(57)【要約】【課題】カメラボディと交換レンズとの装着の耐衝撃性をより向上させること。【解決手段】第１面と、前記第１面と交差する方向に設けられた円筒部と、前記円筒部から放射方向に突出したレンズ側突出部とを備えるレンズ鏡筒を装着可能なカメラボディのマウントは、前記レンズ鏡筒を前記カメラボディに装着すると前記第１面が接触する円環状の円環部と、前記レンズ鏡筒を前記カメラボディに装着すると前記レンズ側突出部に接触する、前記円環部の内周から内側に向かって突出したボディ側突出部と、前記円環部を前記カメラボディに固定する固定部材と、を備え、前記ボディ側突出部は、前記レンズ鏡筒を前記カメラボディに装着すると前記レンズ側突出部に接触する第１部分と、前記レンズ側突出部に接触しない第２部分とを有し、前記固定部材と前記第１部分との距離は、前記固定部材と前記第２部分との距離より大きい。【選択図】図７
2020076889.tif 000002
【特許請求の範囲】
【請求項１】
第１面と、前記第１面と交差する方向に設けられた円筒部と、前記円筒部から放射方向に突出したレンズ側突出部とを備えるレンズ鏡筒を装着可能なカメラボディのマウントであって、
前記レンズ鏡筒を前記カメラボディに装着すると前記第１面が接触する円環状の円環部と、
前記レンズ鏡筒を前記カメラボディに装着すると前記レンズ側突出部に接触する、前記円環部の内周から内側に向かって突出したボディ側突出部と、
前記円環部を前記カメラボディに固定する固定部材と、を備え、
前記ボディ側突出部は、前記レンズ鏡筒を前記カメラボディに装着すると前記レンズ側突出部に接触する第１部分と、前記レンズ側突出部に接触しない第２部分とを有し、
前記固定部材と前記第１部分との距離は、前記固定部材と前記第２部分との距離より大きいマウント。
【請求項２】
レンズ鏡筒が着脱可能なカメラボディのマウントであって、
円環形状の円環部と、
前記円環部を前記カメラボディに固定する固定部材と、
前記円環部の内周から内側に向かって突出したボディ側突出部と、を備え、
前記ボディ側突出部は、前記内周の周方向に沿って、第１部分と、前記円環部の中心軸に沿った方向における厚さが前記第１部分より小さい第２部分と、を有し、
前記固定部材と前記第１部分との距離は、前記固定部材と前記第２部分との距離より大きいマウント。
【請求項３】
請求項１または２に記載のマウントであって、
前記レンズ鏡筒が前記カメラボディに装着されると、前記第１部分は前記レンズ鏡筒に接触し、前記第２部分は前記レンズ鏡筒に接触せず、
前記レンズ鏡筒が前記カメラボディに装着されている際に前記レンズ鏡筒と前記カメラボディの少なくとも一方に前記円環部の中心軸と交差する方向から外力が加わった場合に、前記第２部分は前記レンズ鏡筒に接触可能である、
マウント。
【請求項４】
請求項１から３のいずれか一項に記載のマウントであって、
前記円環部の中心を通る中心軸に沿った方向における前記第１部分の厚さは略一定であり、
前記中心軸に沿った方向における前記第２部分の厚さは前記第１部分の厚さより小さいマウント。
【請求項５】
請求項１から４のいずれか一項に記載のマウントであって、
前記固定部材は前記円環部の周方向に沿って複数配置され、
隣り合う前記固定部材同士の周方向における中心位置と第１部分との距離は、前記中心位置と第２部分との距離より大きいマウント。
【請求項６】
請求項１から５のいずれか一項に記載のマウントであって、
前記ボディ側突出部は、前記レンズ鏡筒を前記カメラボディに対して所定方向に回転することにより、前記レンズ鏡筒と接触し、
前記所定方向に沿って、前記第２部分、前記第１部分、の順に配置されるマウント。
【請求項７】
請求項６に記載のマウントであって、
前記ボディ側突出部は、前記第２部分の前記所定方向の後端側において、前記円環部の中心を通る中心軸と交差する方向に沿って傾斜した傾斜部を有するマウント。
【請求項８】
請求項１から７のいずれか一項に記載のマウントであって、
前記第１部分と前記第２部分との間に設けられた弾性体を備え、
前記弾性体は、前記レンズ鏡筒を前記カメラボディに装着すると、前記レンズ鏡筒に接触して弾性力を与えるマウント。
【請求項９】
請求項１から８のいずれか一項に記載のマウントであって、
前記ボディ側突出部は、前記円環部の周方向に沿って複数備えられ、
前記固定部材は、それぞれの前記ボディ側突出部において、前記第２部分の外周側に配置されるマウント。
【請求項１０】
第１面と前記第１面に沿って設けられたボディ側突出部とを備えるカメラボディに装着可能なレンズ鏡筒のマウントであって、
少なくとも一つのレンズを内部に有する本体部と、
前記本体部の一端部に配置され、前記カメラボディに装着されると前記第１面に接触する第２面と、
前記第２面を前記本体部に固定する固定部材と、
前記カメラボディに装着されると前記ボディ側突出部と対向するレンズ側突出部と、を備え、
前記レンズ側突出部は、前記レンズ鏡筒を前記カメラボディに装着すると前記ボディ側突出部と接触する第１部分と、前記ボディ側突出部と離れた第２部分とを有し、前記第１部分は前記第２部分に比べて前記固定部材から離れている、
マウント。
【請求項１１】
請求項１０に記載のマウントであって、
前記第１部分と前記第２面との間隔は、前記第２部分と前記第２面との間隔よりも狭いマウント。
【請求項１２】
請求項１０または１１に記載のマウントであって、
前記レンズ側突出部は、前記レンズ鏡筒を前記カメラボディに対して所定方向に回転することにより、前記ボディ側突出部と対向し、
前記第１部分は、前記第２部分に対して前記所定方向の後端側に設けられるマウント。
【請求項１３】
請求項１０から１２のいずれか一項に記載のマウントであって、
前記第２部分は、前記カメラボディに装着されたときに前記ボディ側突出部に設けられた弾性体により付勢されるマウント。
【請求項１４】
請求項１０から１３のいずれか一項に記載のマウントを有するレンズ鏡筒。
【請求項１５】
請求項１から９のいずれか一項に記載のマウントを有する撮像装置。
【請求項１６】
レンズ鏡筒と、
請求項１５に記載の撮像装置と、
を有する撮像システム。
【発明の詳細な説明】
【技術分野】
【０００１】
本発明は、マウント、レンズ鏡筒、撮像装置および撮像システムに関する。
【背景技術】
【０００２】
従来、カメラボディに対する交換レンズの着脱方式としては爪同士を回転により係合するバヨネットマウント方式が広く用いられている（たとえば、下記特許文献１を参照）。しかしながら、カメラボディと交換レンズとの装着の耐衝撃性をより向上させることが求められている。
【先行技術文献】
【特許文献】
【０００３】
【特許文献１】特開２０１５−０６００７６号公報
【発明の概要】
【０００４】
本願において開示される第１のマウントは、第１面と、前記第１面と交差する方向に設けられた円筒部と、前記円筒部から放射方向に突出したレンズ側突出部とを備えるレンズ鏡筒を装着可能なカメラボディのマウントであって、前記レンズ鏡筒を前記カメラボディに装着すると前記第１面が接触する円環状の円環部と、前記レンズ鏡筒を前記カメラボディに装着すると前記レンズ側突出部に接触する、前記円環部の内周から内側に向かって突出したボディ側突出部と、前記円環部を前記カメラボディに固定する固定部材と、を備え、前記ボディ側突出部は、前記レンズ鏡筒を前記カメラボディに装着すると前記レンズ側突出部に接触する第１部分と、前記レンズ側突出部に接触しない第２部分とを有し、前記固定部材と前記第１部分との距離は、前記固定部材と前記第２部分との距離より大きい。
【０００５】
本願において開示される第２のマウントは、レンズ鏡筒が着脱可能なカメラボディのマウントであって、円環形状の円環部と、前記円環部を前記カメラボディに固定する固定部材と、前記円環部の内周から内側に向かって突出したボディ側突出部と、を備え、前記ボディ側突出部は、前記内周の周方向に沿って、第１部分と、前記円環部の中心軸に沿った方向における厚さが前記第１部分より小さい第２部分と、を有し、前記固定部材と前記第１部分との距離は、前記固定部材と前記第２部分との距離より大きい。
【０００６】
本願において開示される第３のマウントは、第１面と前記第１面に沿って設けられたボディ側突出部とを備えるカメラボディに装着可能なレンズ鏡筒のマウントであって、少なくとも一つのレンズを内部に有する本体部と、前記本体部の一端部に配置され、前記カメラボディに装着されると前記第１面に接触する第２面と、前記第２面を前記本体部に固定する固定部材と、前記カメラボディに装着されると前記ボディ側突出部と対向するレンズ側突出部と、を備え、前記レンズ側突出部は、前記レンズ鏡筒を前記カメラボディに装着すると前記ボディ側突出部と接触する第１部分と、前記ボディ側突出部と離れた第２部分とを有し、前記第１部分は前記第２部分に比べて前記固定部材から離れている。
【図面の簡単な説明】
【０００７】
【図１】図１は、実施例１にかかる撮像システムの外観図である。
【図２】図２は、実施例１にかかるカメラ側マウントの外観図である。
【図３】図３は、実施例１にかかる第２円環部における板バネの支持状態を示す説明図である。
【図４】図４は、実施例１にかかるレンズ鏡筒の分解斜視図である。
【図５】図５は、実施例１にかかるレンズ側マウントの外観図である。
【図６】図６は、実施例１にかかるカメラ側マウントの部分拡大図である。
【図７】図７は、実施例１にかかるレンズ側マウントのカメラ側マウントへの装着例を示す説明図である。
【図８】図８は、レンズ側マウントのカメラ側マウントへの装着状態を示す平面図である。
【図９】図９は、実施例２にかかるレンズ側マウントの部分拡大図である。
【図１０】図１０は、実施例２にかかるレンズ側マウントのカメラ側マウントへの装着例を示す説明図である。
【発明を実施するための形態】
【実施例１】
【０００８】
＜撮像システムの外観＞
図１は、実施例１にかかる撮像システム１の外観図である。なお、説明と理解とを容易にするために、ＸＹＺの直交座標系を設けた。この座標系では、撮影者がＺ方向となる光軸ＯＡを水平として横長の画像を撮影する場合のカメラ位置（以下、正位置という）において撮影者から見て左側に向かう方向をＸプラス方向とする。
【０００９】
また、正位置において上側に向かう方向をＹプラス方向とする。さらに、正位置において被写体に向かう方向をＺプラス方向とする。また、Ｚマイナス方向は、レンズ鏡筒２０をカメラボディ１０へ装着する際に近づける方向であり、Ｚプラス方向は、レンズ鏡筒２０をカメラボディ１０から取り外す際に遠ざける方向である。
【００１０】
図１において、撮像システム１は、カメラボディ１０と、レンズ鏡筒２０と、を備える。カメラボディ１０は、たとえば、レンズ鏡筒２０により形成された被写体像を撮像する撮像部（イメージセンサ）を備えたデジタルカメラである。
【００１１】
カメラボディ１０は、カメラ側マウント３０を備える。カメラ側マウント３０は、レンズ鏡筒２０が着脱自在に装着されるカメラボディ１０のマウントである。カメラ側マウント３０は、カメラボディ１０内の撮像部を表出させる開口１００と、開口１００の開口縁に形成されたカメラ側爪部３３と、を有する。カメラボディ１０は、金属または樹脂製である。カメラ側マウント３０も金属または樹脂製であり、カメラボディ１０と同じ材質でも異なる材質でも構わない。
【００１２】
レンズ鏡筒２０は、鏡筒本体２１と、レンズ２２と、レンズ側マウント４０と、を備える。鏡筒本体２１は、内部にレンズ２２を収容した筒状の筐体である。レンズ２２は、被写体光を屈折して被写体像を形成する光学部材である。レンズ側マウント４０は、カメラ側マウント３０と機械的に結合するレンズ鏡筒２０のマウントである。レンズ側マウント４０は、鏡筒本体２１の光軸ＯＡ（すなわちＺ方向マイナス側）における端部に設けられている。レンズ側マウント４０は、カメラ側爪部３３をはめ込むためのレンズ側爪部４３および溝部４４を有する。
【００１３】
カメラ側マウント３０とレンズ側マウント４０とは、バヨネットマウント方式のマウント構造を構成する。ここで、さらに、図２および図３を用いて、カメラ側マウント３０について説明する。レンズ側マウント４０の詳細は、図４および図５で後述する。
【００１４】
＜カメラ側マウント＞
図２は、実施例１にかかるカメラ側マウント３０の外観図である。具体的には、図２の（Ａ）は、カメラ側マウント３０の分解斜視図であり、図２の（Ｂ）は、カメラ側マウント３０の正面図である。カメラ側マウント３０は、第１円環部３０Ａと、第２円環部３０Ｂと、により構成される。第１円環部３０Ａは、カメラボディ１０の前面１０ａの開口１００の外周の領域である。
【００１５】
第１円環部３０ＡのＺプラス方向の表面３１には、ビス孔３５Ａが設けられる。ビス孔３５Ａは、たとえば、第１円環部３０Ａの表面３１の周方向において略均等に４箇所設けられている。
【００１６】
第１円環部３０Ａの表面３１には、Ｚマイナス方向に凹んだ凹部２０１が設けられる。凹部２０１は、たとえば、第１円環部３０Ａの表面３１の周方向においてビス孔３５Ａの一端側に４箇所設けられている。凹部２０１は、第１円環部３０Ａの表面３１において、開口１００の周方向に沿って湾曲して形成される。凹部２０１には、Ｚマイナス方向に向けた付勢力を有する板バネ２０２が配置される。また、凹部２０１においてビス孔３５Ａ側の一端には、板バネ２０２の一端の位置を固定するための突出片２０１ａが設けられる。凹部２０１においてビス孔３５Ａ側の他端には、板バネ２０２の他端の径方向の位置を固定するための突出片２０１ｂが設けられる。
【００１７】
板バネ２０２は、開口１００の接線方向に沿った長尺な弾性体である。板バネ２０２は、Ｚマイナス方向に向かって凸形状に湾曲した弾性体であり、後述するレンズ側爪部４３をＺマイナス方向へ付勢する。板バネ２０２の一端には、突出片２０１ａが係合する孔２０２ａが形成されている。孔２０２ａは、Ｚ方向から見て円形である。また、板バネ２０２の他端には、突出片２０１ｂの他端が係合する孔２０２ｂが形成されている。孔２０２ｂは、Ｚ方向から見てＵ字形状の溝部である。板バネ２０２のＺ方向の位置は第１円環部３０Ａと第２円環部３０Ｂとに挟み込まれて固定される。
【００１８】
第２円環部３０ＢのＺプラス方向の表面は、カメラ側マウント基準面３２である。カメラ側マウント基準面３２は、レンズ鏡筒２０をカメラボディ１０に装着した状態において、レンズ鏡筒２０のレンズ側マウント基準面４１ａと当接（面接触）する部分である。カメラ側マウント基準面３２は、略円環状の平面である。
【００１９】
第２円環部３０Ｂは、その内周縁にカメラ側爪部３３を有する。カメラ側爪部３３は、レンズ鏡筒２０をカメラボディ１０に装着した状態において、レンズ鏡筒２０のレンズ側マウント４０に設けられたレンズ側爪部４３と対向する部分である。カメラ側爪部３３は、Ｚ方向に所定の厚さを有し、略板状に形成されている。カメラ側爪部３３の厚さについては、図６で後述する。
【００２０】
カメラ側爪部３３は、カメラ側マウント３０の内周から径方向の内側に向かって突出する。カメラ側爪部３３は、カメラ側マウント３０の内周縁に沿って所定の長さに形成されている。カメラ側爪部３３は、カメラ側マウント３０の内周縁に沿って４箇所設けられている。それぞれのカメラ側爪部３３は、カメラ側マウント３０の内周縁に沿って等間隔で設けられている。それぞれのカメラ側爪部３３の周方向の長さは適宜変更可能であり、カメラ側爪部３３同士の周方向の間隔も適宜変更可能である。
【００２１】
図３は、実施例１にかかる第２円環部３０Ｂにおける板バネ２０２の配置状態を示す説明図である。第２円環部３０Ｂの裏面３００において、カメラ側爪部３３には収容部３０１が設けられる。収容部３０１は、たとえば、第１円環部３０Ａの表面３１に形成された凹部２０１に対向して、第２円環部３０Ｂの裏面３００に４箇所設けられている。収容部３０１は、第２円環部３０Ｂの裏面３００において、開口１００の周方向に沿って形成される。
【００２２】
収容部３０１には、板バネ２０２が収容される。具体的には、たとえば、板バネ２０２がＺプラス方向に向けて付勢されると、板バネ２０２の孔２０２ｂに係合している端部は、突出片２０１ｂに係合しながら開口１００の周方向において延び、板バネ２０２の端部が開口１００の周方向に存在する収容部３０１の壁に当接する。また、板バネ２０２の孔２０２ａは、突出片２０１ａに係合して位置を固定されている。これにより、板バネ２０２の両端は、収容部３０１において開口１００の周方向に伸縮しながらＺ方向の位置を移動しないように支持される。板バネ２０２の中途部は、第１円環部３０Ａの表面３１に向かって湾曲しているため、収容部３０１と非接触である。
【００２３】
レンズ側爪部４３がカメラ側爪部３３と対向する位置に進入して板バネ２０２に当接すると、板バネ２０２の湾曲した中途部がその付勢力に抗して第２円環部３０Ｂに向かって押し込まれる。これにより、凹部２０１の突出片２０１ａ、２０１ｂが板バネ２０２の孔２０２ａ、２０２ｂに対して相対移動して、板バネ２０２は弾性変形する。
【００２４】
一方、レンズ側爪部４３が板バネ２０２と非接触状態になると、板バネ２０２の中途部がその付勢力により第１円環部３０Ａの表面３１に向かって復帰する。これにより、凹部２０１の突出片２０１ａ、２０１ｂが板バネ２０２の孔２０２ａ、２０２ｂに対して相対移動して、板バネ２０２は弾性変形する。
【００２５】
第２円環部３０Ｂのカメラ側マウント基準面３２には、ビス孔３５Ａ対応する位置に孔３５Ｂが設けられる。孔３５Ｂは、ビス孔３５Ａへ挿入されるビス３６を貫通可能な形状である。ビス３６を孔３５Ｂを貫通させてビス孔３６Ａへねじ止めすることにより、第２円環部３０Ｂが第１円環部３０Ａを介してカメラボディ１０にネジ止めされる。
【００２６】
開口１００は、レンズ鏡筒２０をカメラボディ１０に装着した状態において、レンズ側マウント４０の一部を収容する円形状の孔である。開口１００は、第２円環部３０Ｂの内径で形成され、カメラ側マウント３０の内周側に設けられている。
【００２７】
また、図１および図２において、カメラ側マウント３０は、ビス３６と、マウント位置決めピン３７と、を有する。カメラ側マウント３０は、孔３５Ｂを貫通してビス孔３５Ａに挿入されたビス３６により、カメラボディ１０にネジ止めされている。
【００２８】
マウント位置決めピン３７は、カメラ側マウント基準面３２に対し突出または収容されるピンである。マウント位置決めピン３７は、Ｚプラス方向の先端がカメラ側マウント基準面３２から突出した突出位置と、Ｚプラス方向の先端がカメラ側マウント基準面３２よりＺマイナス方向側に収容された収容位置との間を移動可能に構成されている。
【００２９】
また、図１に示したように、カメラボディ１０の前面１０ａ（被写体側）のカメラ側マウント３０の近傍には、ロック解除ボタン３８が設けられている。ロック解除ボタン３８は、マウント位置決めピン３７を突出位置から収容位置に移動させるためのボタンである。
【００３０】
また、図２の（Ａ）に示したように、マウント位置決めピン３７は、カメラボディ１０の内部に設けられたスプリング３７ａにより、突出位置に付勢されている。マウント位置決めピン３７は、ロック解除ボタン３８を押し込むことにより、スプリング３７ａの付勢力に抗して収容位置に移動する。また、マウント位置決めピン３７は、ロック解除ボタン３８の押し込みを解除すると、スプリング３７ａの付勢力により突出位置に移動する。
【００３１】
＜レンズ側マウント＞
つぎに、レンズ側マウント４０について、図４および図５を用いて詳細に説明する。
【００３２】
図４は、実施例１にかかるレンズ側マウント４０の分解斜視図である。図５は、実施例１にかかるレンズ側マウント４０の外観図である。レンズ側マウント４０は、ベース部材４０Ａと、円環部材４０Ｂと、により構成される。図５の（Ａ）は、ベース部材４０Ａのみの正面図を示す。円環部材４０Ｂは、ベース部材４０Ａに取り付けられる。図５の（Ｂ）は、Ｚプラス方向からみたレンズ鏡筒２０の正面図を示す。
【００３３】
ベース部材４０Ａは、フランジ４１とレンズ側マウント筒部４２とを有する。フランジ４１は、レンズ側マウント筒部４２の鏡筒本体２１側端部に設けられ、ビス４６の挿入により、鏡筒本体２１にネジ止めされる。フランジ４１のＺマイナス方向側の面は、レンズ側マウント基準面４１ａである。
【００３４】
レンズ側マウント基準面４１ａは、レンズ鏡筒２０をカメラボディ１０に装着した状態において、カメラボディ１０のカメラ側マウント基準面３２と当接する部分である。レンズ側マウント基準面４１ａは、カメラ側マウント基準面３２と同じく、略円環状である。
【００３５】
レンズ側マウント筒部４２は、レンズ側マウント基準面４１ａの内周側に設けられている。レンズ側マウント筒部４２は、レンズ側マウント基準面４１ａの内周側から所定長さＺマイナス方向に突出している。レンズ側マウント筒部４２の中心軸は、レンズ鏡筒２０の光軸と略一致する。レンズ側マウント筒部４２は、その外周面にレンズ側爪部４３と溝部４４とを有する。
【００３６】
レンズ側爪部４３は、レンズ側マウント筒部４２のＺマイナス方向端部に設けられている。レンズ側爪部４３は、レンズ鏡筒２０をカメラボディ１０に装着した状態において、カメラボディ１０のカメラ側マウント３０に設けられたカメラ側爪部３３と対向する部分である。
【００３７】
レンズ側爪部４３は、Ｚ方向に所定の厚さを有し、略板状に形成されている。レンズ側爪部４３は、レンズ側マウント筒部４２外周側において、径方向の外側に突出する。レンズ側爪部４３は、レンズ側マウント筒部４２の外周縁に沿って所定の長さに形成されている。レンズ側爪部４３は、レンズ側マウント筒部４２の外周縁に沿って４箇所設けられている。それぞれのレンズ側爪部４３の周方向の長さはカメラ側爪部３３との着脱可能な範囲で適宜変更可能であり、レンズ側爪部４３同士の周方向の間隔もカメラ側爪部３３との着脱可能な範囲で適宜変更可能である。
【００３８】
Ｚ方向において、レンズ側マウント基準面４１ａとレンズ側爪部４３との間には、溝部４４が形成されている。溝部４４は、レンズ側マウント基準面４１ａとレンズ側爪部４３との間における空隙およびレンズ側マウント筒部４２の外周面により構成される。溝部４４は、レンズ鏡筒２０をカメラボディ１０に着脱する際に、カメラ側マウント３０のカメラ側爪部３３が周方向に相対移動する部分である。
【００３９】
フランジ４１は、ビス孔４５を有する。ビス孔４５は、たとえば、レンズ側マウント基準面４１ａの周方向において略均等に４箇所設けられている。ベース部材４０Ａは、ビス孔４５に挿入されたビス４６により、レンズ鏡筒２０にネジ止めされる。
【００４０】
また、フランジ４１は、マウント位置決めピン穴４７を有する。マウント位置決めピン穴４７は、レンズ鏡筒２０をカメラボディ１０に装着した状態において、カメラ側マウント３０のマウント位置決めピン３７がＺプラス方向に突出して嵌合する穴である。
【００４１】
＜レンズ鏡筒２０の装着例＞
つぎに、レンズ鏡筒２０をカメラボディ１０に装着する例について、図６および図７を用いて説明する。
【００４２】
図６は、実施例１にかかるカメラ側マウント３０の部分拡大図である。図６は、カメラ側マウント３０の内周側から外周側に向かってカメラ側爪部３３をみた図である。カメラ側爪部３３の内周縁は、周方向に沿って順に、面取り３３ｃ、一端３３ａ、収容部３０１、他端３３ｂが形成されている。カメラ側爪部３３の一端３３ａは、板バネ２０２の一端（孔２０２ａが形成されている端部）が設けられる方の端部である。カメラ側爪部３３の他端３３ｂは、板バネ２０２の他端（孔２０２ｂが形成されている端部）が設けられる方の端部である。面取り３３ｃは、Ｚ方向において傾斜した面を有する傾斜部である。
【００４３】
カメラ側爪部３３の一端３３ａのカメラ側マウント基準面３２からＺマイナス方向に向かう厚さ（第２円環部３０Ｂの中心を通る中心軸（たとえば、光軸ＯＡ）に沿った方向の厚さ）をＤ１、カメラ側爪部３３の他端３３ｂのカメラ側マウント基準面３２からＺマイナス方向に向かう厚さをＤ２とする。この場合、Ｄ２＞Ｄ１となるように、カメラ側爪部３３が形成される。Ｄ１とＤ２との段差をＤ３（＝Ｄ２−Ｄ１）とする。段差Ｄ３は、たとえば、厚さＤ１の１〜３％程度であり、好ましくは約１．５〜２．０％である。段差Ｄ３は、たとえば、厚さＤ１または厚さＤ２の公差より大きいのが好ましい。実施例１では、厚さＤ１または厚さＤ２の公差は、たとえば１％程度である。
【００４４】
図７は、実施例１にかかるレンズ側マウント４０のカメラ側マウント３０への装着例を示す説明図である。図７も、図６と同様、カメラ側マウント３０の内周側から外周側に向かってカメラ側爪部３３およびレンズ側爪部４３をみた図である。図７では、４つのレンズ側爪部４３のうち２つを示し、レンズ側爪部４３の左側のレンズ側爪部４３をレンズ側爪部４３Ｌとし、レンズ側爪部４３の右側のレンズ側爪部４３をレンズ側爪部４３Ｒとする。
【００４５】
溝部４４も同様に、溝部４４Ｌ、４４Ｒとする。また、レンズ鏡筒２０は、カメラボディ１０に装着する際、図７中、左から右方向に回転するものとする（図６も同様）。レンズ鏡筒２０をカメラボディ１０に装着する工程を図７（Ａ）から図７（Ｆ）で示す。なお、レンズ側爪部４３Ｒの動きについては、レンズ側爪部４３Ｌと同一であるため説明を省略する。
【００４６】
図７（Ａ）  レンズ鏡筒２０をカメラボディ１０に対してＺマイナス方向に相対移動させる。つまり、レンズ側マウント４０をカメラ側マウント３０に対してＺマイナス方向に移動させる。この移動により、レンズ側爪部４３Ｌは、カメラ側マウント３０の周方向におけるカメラ側爪部３３同士の間の空間に挿入され、カメラ側爪部３３よりＺマイナス方向側（撮像面側）に相対移動していく。
【００４７】
図７（Ｂ）  図７（Ａ）の移動により、周方向において、２つのレンズ側爪部４３の間の空間に、カメラ側爪部３３が挿入される。これにより、カメラ側マウント３０のカメラ側マウント基準面３２と、レンズ側マウント４０のレンズ側マウント基準面４１ａとが当接する。そして、レンズ鏡筒２０の撮像面に対するＺ方向の距離が決まる。
【００４８】
図７（Ｃ）  図７（Ｂ）の基準面当接後、レンズ鏡筒２０のカメラボディ１０に対する相対回転により、レンズ側爪部４３Ｌは、カメラ側爪部３３の一端３３ａ側に向かって移動する。レンズ側爪部４３Ｌの回転方向の先端部は、カメラ側爪部３３の一端３３ａと対向する位置に到達する。このとき、レンズ側爪部４３Ｌの回転方向の先端部は、カメラ側爪部３３の一端３３ａと非接触である。
【００４９】
図７（Ｄ）  図７（Ｃ）からさらにレンズ鏡筒２０をカメラボディ１０に対して相対回転させると、レンズ側爪部４３Ｌの回転方向の先端部が板バネ２０２の中途部に接触する。これにより、レンズ側爪部４３と板バネ２０２との接触位置で装着トルクが発生し始める。
【００５０】
図７（Ｅ）  図７（Ｄ）からさらにレンズ鏡筒２０をカメラボディ１０に対して相対回転させると、レンズ側爪部４３Ｌの回転方向の先端部が板バネ２０２を越えてカメラ側爪部３３の他端３３ｂに到達する。このとき、板バネ２０２は、レンズ側爪部４３Ｌに押圧されて弾性変形し、レンズ側爪部４３ＬをＺマイナス方向に付勢する。レンズ側爪部４３と板バネ２０２との接触位置の変化により、装着トルクが増加する。
【００５１】
図７（Ｆ）  図７（Ｅ）からさらにレンズ鏡筒２０をカメラボディ１０に対して相対回転させると、レンズ側爪部４３Ｌは、ほぼカメラ側爪部３３に対向する位置に位置決めされる。このとき、図７（Ｅ）と同様、板バネ２０２は、レンズ側爪部４３ＬをＺマイナス方向に付勢したままである。
【００５２】
この状態で、カメラ側マウント３０のマウント位置決めピン３７が、レンズ側マウント４０のマウント位置決めピン穴４７と嵌合し、装着が完了する。その結果、レンズ鏡筒２０のカメラボディ１０に対する相対回転が禁止される。これにより、カメラ側マウント３０のカメラ側マウント基準面３２と、レンズ側マウント４０のレンズ側マウント基準面４１ａとが面接触して、光軸ＯＡを中心とした周方向において位置決めされる。また、カメラ側爪部３３がレンズ側爪部４３とレンズ側マウント基準面４１ａとの間で位置決めされて、レンズ側マウント４０とカメラ側マウント３０とがＺマイナス方向において位置決めされる。このように、レンズ鏡筒２０をカメラボディ１０に装着した状態において、レンズ鏡筒２０は、カメラボディ１０に対する光軸ＯＡの方向および光軸ＯＡ回りの方向における移動が規制される。
【００５３】
図８は、レンズ側マウント４０のカメラ側マウント３０への装着状態を示す平面図である。図８では、カメラ側爪部３３の一端３３ａ、他端３３ｂと、ビス３６と、の位置関係を示す。本実施例では、周方向において、カメラ側爪部３３の周方向端部とレンズ側爪部４３の周方向端部とが一致していないが、適宜変更可能である。各カメラ側爪部３３において、他端３３ｂは、一端３３ａよりもビス３６から離れた位置に位置決めされる。
【００５４】
つぎに、カメラ側マウント３０とレンズ側マウント４０との結合を解除する場合について説明する。ユーザは、カメラボディ１０に設けられたロック解除ボタン３８を押し込み、マウント位置決めピン３７を収容状態とする。これにより、マウント位置決めピン３７とマウント位置決めピン穴４７との嵌合が解除される。
【００５５】
そして、レンズ側マウント４０は、カメラ側マウント３０に対して回転可能な状態となる。このあとは、図７に示した（Ａ）⇒（Ｆ）の操作手順とは逆の操作手順（Ｆ）⇒（Ａ）で操作することで、カメラ側マウント３０とレンズ側マウント４０との結合が解除される。これにより、レンズ鏡筒２０をカメラボディ１０から取り外すことができる。
【００５６】
ここで、カメラボディ１０にレンズ鏡筒２０を装着している際に、たとえば、カメラボディ１０を構えたままレンズ鏡筒２０にのみたとえば上下方向の衝撃が加わると、その衝撃はレンズ鏡筒２０のレンズ側マウント４０からカメラ側マウント３０を経由してカメラボディ１０に伝達する。衝撃が大きいと、カメラ側マウント３０のビス３６が外れてしまい、レンズ鏡筒２０がカメラ側マウント３０ごと外れてしまうという問題があった。つまり、レンズ鏡筒２０が着脱可能な撮像システム１において、レンズ鏡筒２０またはカメラボディ１０の少なくとも一方に光軸と交差する方向から外力が加わった場合に、マウント部分が本体から外れてしまうという問題があった。
【００５７】
しかしながら、本実施例では、カメラ側爪部３３の一端３３ａがレンズ側爪部４３に接触しないように段差Ｄ３を設け、かつ、他端３３ｂの位置を一端３３ａよりもビス３６から離して配置した。カメラ側爪部３３の一端３３ａは、衝撃の加わっていない時にはレンズ側爪部４３に接触しないが、上述の衝撃が加わった場合には、たとえばカメラ側マウント３０の変形などにより、レンズ側爪部４３に接触して衝撃を受けることが可能である。
【００５８】
これにより、レンズ鏡筒２０に加わった衝撃が、レンズ側爪部４３、カメラ側爪部３３の他端３３ｂ、カメラ側爪部３３の一端３３ａ、ビス３６の順に伝達し、衝撃の分散性が向上する。衝撃の分散性が向上することにより、カメラボディ１０からカメラ側マウント３０が外れてしまうということを効果的に抑制する。
【００５９】
また、レンズ側爪部４３のカメラ側爪部３３の一端３３ａに対向する位置の外周にビス４６を配置した。つまり、レンズ側爪部４３のカメラ側爪部３３の一端３３ａに対向する位置とビス４６との距離は、レンズ側爪部４３のカメラ側爪部３３の他端３３ｂに対向する位置とビス４６との距離より小さい。従って、レンズ側爪部４３でも、レンズ鏡筒２０に加わった衝撃を、レンズ側爪部４３、カメラ側爪部３３の他端３３ｂ、カメラ側爪部３３の一端３３ａ、ビス４６の順に伝達させ、衝撃の分散性を向上させて、レンズ鏡筒２０からレンズ側マウント４０が外れてしまうということを効果的に抑制する。
【００６０】
また、カメラ側爪部３３の面取り３３ｃ、一端３３ａ、他端３３ｂの周方向における長さは、他端３３ｂ、一端３３ａ、面取り３３ｃの順に短い。他端３３ｂの周方向における長さを長くとることにより、レンズ鏡筒２０をカメラボディ１０に装着している間は、カメラ側爪部３３とレンズ側爪部４３との接触面積を大きくして安定して装着させることができる。
【００６１】
特に、カメラ側爪部３３またはレンズ側爪部４３の外周側に、それぞれ少なくとも一つずつビス３６を配置すれば、いずれの爪部でも分散性を向上させることができる。
【００６２】
また、装着時の回転方向に沿って、カメラ側爪部３３の一端３３ａ、カメラ側爪部３３の他端３３ｂを配置したので、溝部４４に進入するカメラ側爪部３３の厚みを段階的に大きくすることができ、装着性も向上させることができる。なお、本実施例では、カメラ側爪部３３の一端３３ａの端部に面取り３３ｃを形成して傾斜面とすることにより、装着性をより向上させている。
【実施例２】
【００６３】
実施例２は、形状変形例を示す。実施例１では、レンズ側爪部４３の各々についてＺ方向の厚さが均一であったが、実施例２では、レンズ側爪部４３０の各々についてＺ方向の厚さが異なる。一方、実施例１では、カメラ側爪部３３の各々についてＺ方向の厚さが異なっていたが、実施例２では、カメラ側爪部３３の各々についてＺ方向の厚さが均一（Ｄ１＝Ｄ２）である。なお、実施例２では、実施例１との相違点を中心に説明するため、実施例１との共通箇所については、同一符号を付して説明を省略する。
【００６４】
図９は、実施例２にかかるレンズ側マウント４０の部分拡大図である。図９は、レンズ側マウント４０の内周側から外周側に向かってレンズ側爪部４３０をみた図である。レンズ側爪部４３０のＺマイナス方向側の面４３０ｃ（レンズ側マウント基準面４１ａと対向しない方の面）を厚さの基準面とする。レンズ側爪部４３０の回転方向の一端４３０ａの厚さをｄ１、他端４３０ｂの厚さをｄ２（＜ｄ１）、厚さｄ１と厚さｄ２との差分を段差ｄ３（＝ｄ１−ｄ２）とする。厚さｄ２は、カメラ側マウント３０との結合時に、板バネ２０２が他端４３０ｂと接触する厚さとする。段差ｄ３は、たとえば、厚さｄ２の１〜３％程度であり、好ましくは約１．５〜２．０％である。段差ｄ３は、厚さｄ１または厚さｄ２の公差より大きいのが好ましい。実施例２では、厚さｄ１または厚さｄ２の公差は、たとえば１％程度である。
【００６５】
また、レンズ側爪部４３０の装着時の回転方向における一端４３０ａの長さをＬ１、他端４３０ｂの長さをＬ２（＞Ｌ１）とする。長さＬ２は、カメラ側マウント３０との結合時に、板バネ２０２の孔２０２ａが形成されている一端が、一端４３０ａと他端４３０ｂとの境界に到達する程度の長さとする。
【００６６】
図１０は、実施例２にかかるレンズ側マウント４０のカメラ側マウント３０への装着例を示す説明図である。
【００６７】
図１０（Ａ）  レンズ鏡筒２０をカメラボディ１０に対してＺマイナス方向に相対移動させる。つまり、レンズ側マウント４０をカメラ側マウント３０に対してＺマイナス方向に移動させる。この移動により、レンズ側爪部４３０Ｌは、カメラ側マウント３０の周方向におけるカメラ側爪部３３同士の間の空間に挿入され、カメラ側爪部３３よりＺマイナス方向側（撮像面側）に相対移動していく。
【００６８】
図１０（Ｂ）  図１０（Ａ）の移動により、周方向において、２つのレンズ側爪部４３０の間の空間に、カメラ側爪部３３が挿入される。これにより、カメラ側マウント３０のカメラ側マウント基準面３２と、レンズ側マウント４０のレンズ側マウント基準面４１ａとが当接する。そして、レンズ鏡筒２０と撮像面に対するＺ方向の距離が決まる。
【００６９】
図１０（Ｃ）  図１０（Ｂ）の基準面当接後、レンズ鏡筒２０のカメラボディ１０に対する相対回転により、レンズ側爪部４３０Ｌは、カメラ側爪部３３の一端３３ａ側に向かって移動する。レンズ側爪部４３０Ｌの回転方向の先端となる他端４３０ｂは、カメラ側爪部３３の一端３３ａと対向する位置に到達する。このとき、レンズ側爪部４３０Ｌの他端４３０ｂは、カメラ側爪部３３の一端３３ａと非接触である。
【００７０】
図１０（Ｄ）  図１０（Ｃ）からさらにレンズ鏡筒２０をカメラボディ１０に対して相対回転させると、レンズ側爪部４３０Ｌの他端４３０ｂが板バネ２０２の中途部に接触する。これにより、レンズ側爪部４３と板バネ２０２との接触位置で装着トルクが発生し始める。
【００７１】
図１０（Ｅ）  図１０（Ｄ）からさらにレンズ鏡筒２０をカメラボディ１０に対して相対回転させると、レンズ側爪部４３０Ｌの他端４３０ｂが板バネ２０２を越えてカメラ側爪部３３の他端３３ｂに到達する。このとき、板バネ２０２は、レンズ側爪部４３０Ｌに押圧されて弾性変形し、レンズ側爪部４３０ＬをＺマイナス方向に付勢する。レンズ側爪部４３と板バネ２０２との接触位置の変化により、装着トルクが増加する。
【００７２】
図１０（Ｆ）  図１０（Ｅ）からさらにレンズ鏡筒２０をカメラボディ１０に対して相対回転させると、レンズ側爪部４３０Ｌは、ほぼカメラ側爪部３３に対向する位置に位置決めされる。このとき、図１０（Ｅ）と同様、板バネ２０２は、レンズ側爪部４３０ＬをＺ方向に付勢したままである。
【００７３】
この状態で、カメラ側マウント３０のマウント位置決めピン３７が、レンズ側マウント４０のマウント位置決めピン穴４７と嵌合し、装着が完了する。その結果、レンズ鏡筒２０のカメラボディ１０に対する相対回転が禁止される。これにより、カメラ側マウント３０のカメラ側マウント基準面３２と、レンズ側マウント４０のレンズ側マウント基準面４１ａとが面接触して、光軸ＯＡを中心とした周方向において位置決めされる。また、カメラ側爪部３３がレンズ側爪部４３０とレンズ側マウント基準面４１ａとの間で位置決めされて、レンズ側マウント４０とカメラ側マウント３０とがＺマイナス方向において位置決めされる。
【００７４】
また、レンズ鏡筒２０は、マウント位置決めピン穴４７に嵌合したマウント位置決めピン３７により、光軸ＯＡ回りの方向に位置決めされる。このように、レンズ鏡筒２０をカメラボディ１０に装着した状態において、レンズ鏡筒２０は、カメラボディ１０に対する光軸ＯＡの方向および光軸ＯＡ回りの方向における移動が規制される。
【００７５】
一方、カメラ側マウント３０とレンズ側マウント４０との結合を解除するには、ユーザは、カメラボディ１０に設けられたロック解除ボタン３８を押し込み、マウント位置決めピン３７を収容状態とする。これにより、マウント位置決めピン３７とマウント位置決めピン穴４７との嵌合が解除される。
【００７６】
そして、レンズ側マウント４０は、カメラ側マウント３０に対して回転可能な状態となる。このあとは、図１０に示した（Ａ）⇒（Ｆ）の操作手順とは逆の操作手順（Ｆ）⇒（Ａ）で操作することで、カメラ側マウント３０とレンズ側マウント４０との結合が解除される。これにより、レンズ鏡筒２０をカメラボディ１０から取り外すことができる。
【００７７】
このように、実施例２においても、段差ｄ３を設け、かつ、一端４３０ａの位置を他端４３０ｂよりもビス４６から離して配置した。レンズ側爪部４３０の他端４３０ｂは、衝撃の加わっていない時にはカメラ側爪部３３に接触しないが、上述の衝撃が加わった場合には、たとえばレンズ側マウント４０の変形などにより、カメラ側爪部３３に接触して衝撃を受けることが可能である。
【００７８】
これにより、レンズ鏡筒２０に加わった衝撃が、レンズ側爪部４３０の一端４３０ａ、レンズ側爪部４３０の他端４３０ｂ、カメラ側爪部３３、ビス４６の順に伝達し、衝撃の分散性が向上する。衝撃の分散性が向上することにより、カメラボディ１０からカメラ側マウント３０が外れてしまうということを効果的に抑制する。
【００７９】
また、レンズ側爪部４３０の一端４３０ａの周方向における長さは、レンズ側爪部４３０の他端４３０ｂの周方向における長さより短い。他端４３０ｂの周方向における長さを長くとることにより、レンズ鏡筒２０をカメラボディ１０に装着している間は、カメラ側爪部３３とレンズ側爪部４３０との接触面積を大きくして安定して装着させることができる。
【００８０】
特に、レンズ側爪部４３０の外周側に、それぞれ少なくとも一つずつビス４６を配置すれば、いずれの爪部でも分散性を向上させることができる。
【００８１】
以上説明したように、本実施の形態によれば、カメラ側爪部３３，レンズ側爪部４３０に段差Ｄ３，段差ｄ３を設け、一端３３ａ，他端４３ｂよりも他端３３ｂ，一端４３ａから離れた位置にカメラ側マウント３０，レンズ側マウント４０を締結するビス３６，４６が配置される。
【００８２】
したがって、板バネ２０２のみならず、カメラ側マウント３０，レンズ側マウント４０自身をバネ部材として扱うことができる。これにより、レンズ鏡筒２０に加わった衝撃の分散性が向上し、耐衝撃性が向上する。また、カメラ側マウント３０，レンズ側マウント４０の構成が簡易なため、カメラボディ１０の光軸とレンズ２２の光軸との角度精度を高精度に維持することができる。
【００８３】
上記の実施例１および実施例２では、一端３３ａと他端３３ｂとの間に板バネ２０２を配置したが、一端３３ａと他端３３ｂとの境界は適宜変更可能である。また、実施例１において一端３３ａと他端３３ｂとの間に１つの段差Ｄ３を設けるだけでなく、複数の段差を設けても良く、傾斜を付けることとしてもよい。
【００８４】
また、実施例１ではカメラ側爪部３３に段差Ｄ３を設け、実施例２ではレンズ側爪部４３０に段差ｄ３を設けたが、カメラ側爪部３３とレンズ側爪部４３０の双方に段差や傾斜を設けてもよい。
【００８５】
また、実施例１および実施例２では、固定部材としてのビス３６，４６はカメラ側爪部３３またはレンズ側爪部４３、４３０の外周側に配置したが、適宜変更可能である。光軸ＯＡ周りの周方向において、爪部の一端と固定部材との距離が、爪部の他端と固定部材との距離より小さければよい。また、ビス３６，４６の数と爪部の数と等しくしたが、ビスの数を爪部の数より多くしてより耐衝撃性を上げてもよい。
【００８６】
なお、本発明は上記の内容に限定されるものではなく、これらを任意に組み合わせたものであってもよい。また、本発明の技術的思想の範囲で考えられるその他の態様も本発明の範囲に含まれる。
【符号の説明】
【００８７】
１  撮像システム、１０  カメラボディ、２０  レンズ鏡筒、３０  カメラ側マウント、３２  カメラ側マウント基準面、３３  カメラ側爪部、３３ａ  一端、３３ｂ  他端、３６  ビス、４０  レンズ側マウント、４１ａ  レンズ側マウント基準面、４２  レンズ側マウント筒部、４３，４３０  レンズ側爪部、４３ａ，４３０ａ  一端、４３ｂ，４３０ｂ  他端、４６  ビス、２０２  板バネ、Ｄ３  段差、ｄ３  段差
【図１】
2020076889.tif 000003
【図２】
2020076889.tif 000004
【図３】
2020076889.tif 000005
【図４】
2020076889.tif 000006
【図５】
2020076889.tif 000007
【図６】
2020076889.tif 000008
【図７】
2020076889.tif 000009
【図８】
2020076889.tif 000010
【図９】
2020076889.tif 000011
【図１０】
2020076889.tif 000012